(57)【要約】      （修正有）【課題】方立の室内側に耐火部材が配置された防火建具であっても、十分な強度を有する方立を備える防火建具を提供する。【解決手段】スチール等の鋼材からなる中空状の連結材本体１１と、連結材本体１１の両側に固定されるスチール等の鋼材からなる枠取付材１２，１２と、枠取付材１２，１２に固定される左右の窓部の竪枠２３，２３と、連結材本体１１の室内側に固定される耐火ボート等の耐火部材１３２を備え、耐火部材１３２の室内側に補強部材１３４を備えている。【選択図】図４
2019214842.tif 000002
【特許請求の範囲】
【請求項１】
中空状の連結材本体と、連結材本体の両側に固定される枠取付材と、枠取付材に固定される竪枠と、連結材本体の室内側に固定される耐火部材を備え、
耐火部材の室内側に補強部材を備えている防火建具
【発明の詳細な説明】
【技術分野】
【０００１】
本発明は、  建物開口部に配置される防火建具に関する。
【背景技術】
【０００２】
建物開口部に配置される防火建具として、左右に窓部を配置するための方立を備えた防火建具が公知となっている。
【先行技術文献】
【特許文献】
【０００３】
【特許文献１】特許第５７５７０１１号公報
【発明の概要】
【発明が解決しようとする課題】
【０００４】
上記特許文献１に記載された防火建具は、方立の室内側方立部材の室内側に耐火部材を配置することで、火災時に方立と左右の窓部との間から火が浸入することを防止し、防火性を高めている。
このような、火災時に方立と左右の窓部との間を塞ぐための耐火部材は、左右の窓部の竪枠の室内側面に近接した状態で配置する必要があるために、方立は、左右の窓部よりも室内側に張り出して配置することは難しかった。
一方、方立の見付け寸法をできるだけ小さくして意匠性を高めることは、常に求められており、方立の見付け寸法はできるだけ小さい方が好ましかった。
しかし、例えば高さの大きい防火建具においては、上記のような見付け寸法と見込み寸法に制約がある方立では、十分な強度を得られない可能性があった。
【０００５】
本発明は、上記の事情を鑑み、方立の室内側に耐火部材が配置された防火建具であっても、十分な強度を有する方立を備える防火建具を提供することを目的とする。
【課題を解決するための手段】
【０００６】
本発明の一実施形態は、中空状の連結材本体と、連結材本体の両側に固定される枠取付材と、枠取付材に固定される竪枠と、連結材本体の室内側に固定される耐火部材を備え、耐火部材の室内側に補強部材を備えている防火建具である。
【発明の効果】
【０００７】
本発明の一実施形態により、方立の室内側に耐火部材が配置された防火建具であっても、十分な強度を有する方立を備える防火建具を提供することができる。
【図面の簡単な説明】
【０００８】
【図１】本発明の一実施形態に係る防火建具の外観図である。
【図２】本発明の一実施形態に係る防火建具の横断面図である。
【図３】本発明の一実施形態に係る防火建具の竪断面図である。
【図４】本発明の一実施形態に係る防火建具に連結材部分の拡大横断面図である。
【図５】本発明の一実施形態に係る防火建具の連結材部分の竪断面図である。
【発明を実施するための形態】
【０００９】
本発明の一実施形態について、図１ないし５を参考にして説明する。
（全体の構成）
図１ないし３に示すように、本実施形態の防火建具は、建物の躯体開口部Ａの左右方向ほぼ中央位置に配置される連結材１と、建物の躯体開口部Ａ内であって連結材１の左右の空間に配置される左右の窓部２，２を備えている。
左右の窓部２は、それぞれ竪枠２３，２４の内周面に上、下枠２１，２２の端部を突き合わせて結合されてなる枠体の内周に、内、外障子３，４を配置してなる引き違い窓として形成されている。
【００１０】
（連結材）
本実施形態の防火建具の連結材１は、図２に示すように、スチール等の鋼材からなる中空状の連結材本体１１と、連結材本体１１の左右両側に固定されて左右の窓部２，２の竪枠２３が取り付けられる枠取付材１２，１２と、連結材本体１１の室内側に配置されて左右の窓部２，２の室内側の竪枠２３，２３間をカバーする室内側部材１３と、を有している。
【００１１】
連結材本体１１は、左右の窓部２の見込寸法の半分以下の見込寸法を有しており、図５に示すように、見込み壁の上下部分が、躯体開口部Ａに固定された上、下アンカー部材５，５に固定されることで、躯体開口部Ａに対して支持されている。
具体的には、上、下アンカー部材５，５の固定板５２，５２に形成された上下方向に沿って延びる長孔５２ａに対してビス等の固定手段ｂ１によって固定されており、熱等によって連結材本体１１が伸びた場合などには、長孔５２ａ，５２ａと連結材本体１１との固定部におけるずれが許容されるように支持されている。
【００１２】
枠取付材１２は、スチール等の鋼材よりなり、図４（ａ）に示すように、室内側見込み壁１２ａと、室内側見込み壁１２ａの室内側端から反連結材本体側に延びる室内側取付部１２ｂと、室内側見込み壁１２ａの室外側端から連結材本体側に延びる見付け壁１２ｃと、見付け壁１２ｃの連結材本体側が室外側に屈曲して室外側に延びる室外側見込み壁１２ｄと、室外側見込み壁１２ｄの室外側端が反連結材本体側に屈曲して延びる室外側取付部１２ｅとを有する曲げ部材として形成されている。
そして、枠取付材１２は、室内側見込み壁１２ａが連結材本体１１の見込み壁に当接され、見付け壁１２ｃが連結材本体１１の室外側見付け壁に当接されるとともに、連結材本体１１の室外側で左右の枠取付材１２，１２の室外側見込み壁１２ｄ同士が合わさるように配置され、ネジ等の連結手段ｂ２により固定されている。
【００１３】
なお、本実施形態の防火建具の枠取付材１２の室内側見込み壁１２ａは、図５に示すように、室内側部分の上下方向寸法が長く、室外側部分の上下方向寸法が室内側に比べて短い寸法となるように段を有しており、アンカー部材５の固定板５２を避ける形状をしているので、連結材本体１１と上、下アンカー部材５，５の固定板５２，５２との固定を妨げることがない。
ただし、枠取付材１２の形状は、図５に示す本実施形態の形状に限定されるものではなく、また、連結材本体１１に対して上下方向に複数個配置されるものでもよい。（なお、図５においては、連結材本体１１と枠取付材１２とを区別するために、枠取付材１２を点線で示している。）
【００１４】
室内側部材１３は、図４（ｂ）に示すように、連結材本体１１の室内側に固定される連結部材１３１と、連結部材１３１の室内側に配置されて連結材本体１１に固定される耐火ボート等の耐火部材１３２と、連結部材１３１に固定されて耐火部材１３２の室内側を覆う室内側カバー部材１３３と、室内側カバー部材１３３の中空部内に配置される補強部材１３４を有している。
【００１５】
連結部材１３１は、連結材本体１１及び連結材本体１１に固定された左右の枠取付材１２の室内側を覆う左右幅寸法を有する固定部１３１ａと、固定部１３１ａの左右両端部より室内側に延びる係止片１３１ｂ，１３１ｂを有している。そして、固定部１３１ａの左右中央位置において連結材本体１１に固定手段ｂ３により固定されると共に、左右位置において枠取付材１２の室内側取付部１２ｂにビス等の固定手段ｂ４により固定されている。
【００１６】
耐火部材１３２は、図４（ｂ），図５に示すように、連結材本体１１とほぼ同じ高さ寸法を有し、連結材本体１１の室内側において連結材本体１１と左右の枠取付材１２，１２との間を室内側から塞ぐように連結材本体１１に対してネジ等の固定手段ｂ５により固定されている。
室内側カバー部材１３３は、耐火部材１３２を室内側から覆う凹部１３３ａと、凹部１３３ａの室内側に形成された中空部１３３ｂからなり、凹部１３３ａを形成する左右壁の端部が連結部材１３１の係止片１３１ｂ、１３１ｂにビス等の固定手段ｂ６により固定されている。
【００１７】
そして、室内側カバー部材１３３の中空部１３３ｂ内には、スチール等の鋼材からなる２つの略Ｕ字状の曲げ部材をあわせて中空形状に形成された補強部材１３４が配置されており、ビス等の固定手段ｂ７によって、室内側カバー部材１３３に固定されている。
【００１８】
（窓部の構成）
本実施形態の防火建具の窓部２は防火性を備えており、図２に示すように、連結材側の竪枠２３が枠取付材１２に固定されるとともに、反連結材側（躯体開口部Ａ側）の竪枠２４が、躯体開口部Ａに固定されたアンカー部材５に固定されることで躯体開口部Ａに取付けられている。
連結材１（及びアンカー部材５）に固定される窓部２の竪枠２３（２４）は、図４（ａ）に示すように、少なくとも見込み壁２３ａと、見込み壁２３ａの室内側端から外周側に向かって延設され先端が室外方向に屈曲している室内側取付片２３ｂと、見込み壁２３ａの室外側外周面に設けられる中空部２３ｃと、中空部２３ｃの内周側の室内側端から室内方向に向かって延びさらに外周側に屈曲して延設される室外側取付片２３ｄを有している。
【００１９】
そして、竪枠２３は、室内側取付片２３ｂが枠取付材１２の室内側取付部１２ｂに対して室外側から見込み方向に重複するように当接してビス等の固定手段ｂ８により固定されると共に、室外側取付片２３ｄの見付壁が枠取付材１２の室外側取付部１２ｅに対して室内側から見込み方向に重複するように当接してビス等の固定手段ｂ９によって固定されている。
【００２０】
枠取付材１２の室外側取付部１２ｅに固定された竪枠２３の室外側取付片２３ｄ，２３ｄの室外側であって、竪枠２３，２３の中空部２３ｃ，２３ｃの間には、シール材ｓが設けられており、竪枠２３，２３間が気密されている。
そして、防火建具の連結材１の室外側は、竪枠２３，２３の室外側面より室外側に突出する部材を配することなく、面一に形成されている。
【００２１】
以上のように、本実施形態の防火建具については、窓部２を支持する連結材１の連結材本体１１は、開口部の面積を確保するために見付け方向の寸法が小さく設定され、また、室外側面に突出部を設けることなく面一状態に施工するために見込み方向の寸法が小さく設定されている。
そのため、躯体開口部Ａにアンカー部材５を介して支持される連結材本体１１の断面積を十分に確保できず強度を保つことが難しかった。特に、開口高さ寸法の大きな建具については強度不足となることが多かった。
【００２２】
それに対して、本実施形態の防火建具は、連結材本体１１の室内側に配置される耐火部材１３２の更に室内側に、連結材１を補強する補強部材１３４を配置することで、連結材１の強度を向上させたものである。
【００２３】
具体的には、耐火部材１３２を覆う室内側カバー部材１３３に、補強部材１３４を配置することができる中空部１３３ｂを形成し、中空部１３３ｂ内に補強部材１３４を配置するとともに、補強部材１３４を室内側カバー部材１３３の中空部１３３ｂ内にビス等の固定手段ｂ７により固定することで、室内側カバー部材１３３の強度を高めている。
そして、強度が向上した室内側カバー部材１３３を、連結材本体１１に固定された連結部材１３１の係止片１３１ｂに対してネジ等の固定手段ｂ６によって固定することで、連結材本体１１と室内側カバー部材１３３とが一体となった強度の高い連結材１を構成している。
【００２４】
以上の実施形態の防火建具においては、連結材１を構成する連結材本体１１の室内側に耐火部材１３２が配置されるとともに、耐火部材１３２の室内側に補強部材１３４が配置されることで、連結材１全体の強度を向上させることができる。
したがって、連結材１の見付寸法を小さくすることができ、開口部分を広く保つことができる。また、連結材１の見込寸法を窓部の見込寸法よりも小さく形成することを可能にし、窓の室外側を面一に形成することができる。
【００２５】
そして、連結材１全体の強度を高めるための補強部材１３４を、連結材１を構成する室内側カバー部材１３３に固定して、該室内側カバー部材１３３を連結材本体１１に固定された連結部材１３１に固定することで補強しているので、開口部の高さ寸法が小さい場合には、室内側カバー部材１３３を中空部を備えない室内側カバー部材に変更したり、中空部内に補強部材１３４を配置しないようにしたりすることなどで、連結材本体１１の構成を変更することなく、建具に応じた補強の設定を簡単に行うことができる。
【００２６】
なお、本実施形態においては、耐火部材の室内側に配置される補強部材１３４は，室内側カバー部材１３３の中空部内の室外側壁に固定されているが、補強部材１３４の固定は上記構成に限定されるものではなく、連結材１を補強することができれば、いずれの部材に固定されるものでもよい。
【００２７】
なお、以上の実施形態は，請求項に記載された発明を限定するものではなく，例示として取り扱われることは言うまでもない。
【符号の説明】
【００２８】
１        ：連結材
２        ：窓部
１１      ：連結材本体
１２      ：枠取付材
１３      ：室内側部材
２３      ：竪枠
１３１    ：連結部材
１３２    ：耐火部材
１３４    ：補強部材
【図１】
2019214842.tif 000003
【図２】
2019214842.tif 000004
【図３】
2019214842.tif 000005
【図４】
2019214842.tif 000006
【図５】
2019214842.tif 000007